(57)【要約】  宝石等の装飾体を容易にリングに対して着脱可能に構成され且つ、リングだけでも装身具として利用することができる指輪を提供する。  周方向に切れ目なく閉じた状態に形成された複数の独立したリング３０，４０，５０と、装飾体５を保持する座体１０と、リングの幅方向に並べられた複数のリング３０，４０，５０を幅方向の両側から保持して、複数のリング３０，４０，５０に座体１０を着脱可能に保持させるホルダ２０と、を備え、ホルダ２０には、複数のリング３０，４０，５０のうち、幅方向の端に配置された１つのリング４０，５０のみを受けるアーム２３が設けられ、アーム２３によって受けられないリング３０は、アーム３０がリング４０，５０を受けているホルダ２０に対して抜き差し自在に構成された指輪で課題を解決する。
2014033871.tif 000002
【特許請求の範囲】
【請求項１】
周方向に切れ目なく閉じた状態に形成された複数の独立したリングと、
装飾体を保持する座体と、
前記リングの幅方向に並べられた前記複数のリングを該幅方向の両側から保持して、前記複数のリングに前記座体を着脱可能に保持させるホルダと、を備え、
前記ホルダには、前記複数のリングのうち、前記幅方向の端に配置された１つのリングのみを受けるアームが設けられ、
前記アームによって受けられないリングは、前記アームがリングを受けている前記ホルダに対して抜き差し自在に構成されていることを特徴とする指輪。
【請求項２】
前記ホルダは、
前記幅方向に並べられた前記リングの幅方向の外側で前記座体から前記リングに向けて延びる側壁と、
この側壁の下端から前記幅方向の内側に向けて延びる前記アームと、を備え、
前記複数のリングのうち端に配置されたリングには、内周面の一部に前記幅方向に延びる横溝が形成され、
前記アームが前記横溝に嵌め込み可能に構成されていることを特徴とする請求項１に記載の指輪。
【請求項３】
前記ホルダは、
前記幅方向に並べられた前記リングの幅方向の外側で前記座体から前記リングに向けて延びる側壁と、
この側壁の下端から前記幅方向の内側に向けて延びる前記アームと、を備え、
前記複数のリングのうち端に配置されたリングには、各々の外側面に、リングの半径方向に延びる縦溝が形成され、
前記側壁が前記縦溝に嵌め込み可能に構成されていることを特徴とする請求項１又は２に記載の指輪。
【請求項４】
複数の前記リングは３つであり、
前記アームは前記幅方向の両側に設けられ、各アームは、幅方向に並べられた３つの前記リングのうち両端に配置されたリングをそれぞれ受け、
３つの前記リングのうち中央に配置されたリングが、前記ホルダに対して抜き差し自在に構成されていることを特徴とする請求項１〜３のいずれか１項に記載の指輪。
【請求項５】
前記座体と前記ホルダとは一体に形成されていることを特徴とする請求項１〜４のいずれか１項に記載の指輪。
【発明の詳細な説明】
【技術分野】
【０００１】
本発明は、リングと装飾体を保持する座体とが着脱自在に構成された指輪に関する。
【背景技術】
【０００２】
指輪は、装身具の体表的なものである。こうした指輪は、種々の形態のものがある。その中でも、指に装着するリングのみから構成された形態や、宝石等の装飾体が座体に保持され、この座体がリングに取り付けられた形態が指輪の代表的な形態として挙げられる。【０００３】
指輪を購入する者の中には、こうした種々の形態の指輪を購入したいと考える者がいる。ところが、諸事情から、リングのみから構成された指輪だけを購入したり、装飾体を備えた指輪だけを購入したりする場合がある。しかしながら、別の形態の指輪を別途に購入する場合、例えば、リングのみから構成された指輪だけを購入した後に装飾体を備えた指輪を購入する場合、リング、装飾体、装飾体を保持する座体、座体をリングに取り付けるための台座等を一式新たに購入することが必要になる。【０００４】
また、宝石等の装飾体は一般に高価であり、装飾体を備えた指輪は、日常的には身につけず、桐箱等に収納して保管しておくことが一般に行われている。しかし、指輪の所有者の中には、装飾体を備えた指輪であっても、リング自体を気に入り、リングだけを身につけたいと考える者がいることも事実である。【０００５】
一方、宝石等の装飾体がリングに対して着脱可能に構成された指輪に関する発明が開示されている。【０００６】
特許文献１に開示された指輪は、リングの外周面から突出する一対の保持体と、保持体を貫通する一対のねじとを備え、保持体の間に配置された装飾体を一対のねじで挟み込むように構成されている。この指輪は、ねじを緩めることで装飾体を指輪から取り外すことができるようになっている。【０００７】
特許文献２に開示された指輪は、複数の装飾体と本体部とから成り、複数の装飾体のうちのいずれかの装飾体が本体部に付け替え可能に取り付けられている。この指輪は、本体部が、装飾体の取付位置に平坦な支持面を有し、この支持面上に装飾体または装飾体の取付ベースをその下面を面接触させて固定手段により固定している。固定手段は、本体部にねじ込まれて装飾体を固定するためのねじと、このねじの締付力を受けて支持面に対して垂直方向へ圧縮変形する弾性体とを含み、弾性体はその復元力が装飾体または取付ベースに作用するようにねじ止め部分に保持されている。【０００８】
特許文献３に開示された指輪は、装飾体を保持する石座と、一巻きの螺旋状に形成された不連続なリングとを備えている。石座はその外周面に複数のねじ穴を有し、リングはその軸方向の一端に雄ねじを有している。石座は、そのねじ穴にリングの雄ねじを締め付けたり、緩めたりすることによってリングに対して着脱可能に構成されている。
【先行技術文献】
【特許文献】
【０００９】
【特許文献１】特開２００２−１４２８１７公報
【００１０】
【特許文献２】特開２００７−２２２３８５公報
【００１１】
【特許文献３】特開２００３−１３５１１３公報
【発明の概要】
【発明が解決しようとする課題】
【００１２】
しかしながら、特許文献１及び特許文献２に開示の指輪は、装飾体をリングから外したりリングに取り付けたりする場合に、ねじを緩めたり締め付けることが必要になる。この指輪に使用されているねじは極めて細かい部品であり、専用の工具が必要になる。また、この指輪は、装飾体を交換することを念頭に製作されているので、装飾体が取り外されたリングは、リングだけを装身具として身につけるようにデザインされていない。【００１３】
特許文献３に開示された指輪は、装飾体を螺旋状のリングから取り外すと、周方向の一部に不連続になる部分が存在する。そのため、こうした構造の指輪は、リングだけでは装飾具として機能しない。【００１４】
このように、従来の指輪は、リングから装飾体を取り外すことができても、リングだけで装身具として利用することはできない。【００１５】
本発明は、上記課題を解決するためになされたものであり、宝石等の装飾体を容易にリングに対して着脱可能に構成され、しかも、リングだけでも装身具として利用することができる指輪を提供する。
【課題を解決するための手段】
【００１６】
上記課題を解決するための本発明に係る指輪は、周方向に切れ目なく閉じた状態に形成された複数の独立したリングと、装飾体を保持する座体と、前記リングの幅方向に並べられた前記複数のリングを該幅方向の両側から保持して、前記複数のリングに前記座体を着脱可能に保持させるホルダと、を備え、前記ホルダには、前記複数のリングのうち、前記幅方向の端に配置された１つのリングのみを受けるアームが設けられ、前記アームによって受けられないリングは、前記アームがリングを受けている前記ホルダに対して抜き差し自在に構成されていることを特徴とする。【００１７】
この発明によれば、ねじ等の固着具を利用せずに装飾体をリングに対して着脱可能に構成することができる。具体的には、アームによっては受けられないリングを、アームがリングを受けているホルダに差し込むと、このリングが、アームによって受けられているリングがアームから抜け出すことを阻止するストッパとして機能する。また、差し込んだリングは、アームによっては受けられないリングを介してホルダに挟み込まれる。そのため、ホルダが、複数のリングを幅方向に並べられた状態で保持すると、これが１つの指輪として機能する。【００１８】
一方、ホルダに保持された複数のリングのうち、アームによっては受けられていないリングはホルダに対して自由に抜き取ることができる。このリングをホルダから抜き取ると、アームに受けられていたリングは、拘束が解除され、ホルダから自由に取り外すことができるようになる。【００１９】
取り外された各リングは、周方向に切れ目なく閉じた状態に形成され且つ、相互に独立しているので、それ自体が一つの装身具となる。【００２０】
本発明に係る指輪において、前記ホルダは、前記幅方向に並べられた前記リングの幅方向の外側で前記座体から前記リングに向けて延びる側壁と、この側壁の下端から前記幅方向の内側に向けて延びる前記アームと、を備え、前記複数のリングのうち端に配置されたリングには、内周面の一部に前記幅方向に延びる横溝が形成され、前記アームが前記横溝に嵌め込み可能に構成されている。【００２１】
この発明によれば、アームを横溝に嵌め込んで保持することによって、リングがホルダの内部で回転することを防止することができる。また、リングの半径方向にホルダとリングとの間に隙間が形成されることを防止することができる。【００２２】
本発明に係る指輪において、前記ホルダは、前記幅方向に並べられた前記リングの幅方向の外側で前記座体から前記リングに向けて延びる側壁と、この側壁の下端から前記幅方向の内側に向けて延びる前記アームと、を備え、前記複数のリングのうち端に配置されたリングには、各々の外側面に、リングの半径方向に延びる縦溝が形成され、前記側壁が前記縦溝に嵌め込み可能に構成されている。【００２３】
この発明によれば、アームを横溝に嵌め込んで保持することによって、リングがホルダの内部で回転することを防止することができる。また、幅方向にホルダとリングとの間に隙間が形成されることを防止することができる。【００２４】
本発明に係る指輪において、複数の前記リングは３つであり、前記アームは前記幅方向の両側に設けられ、各アームは、幅方向に並べられた３つの前記リングのうち両端に配置されたリングをそれぞれ受け、３つの前記リングのうち中央に配置されたリングが、前記ホルダに対して抜き差し自在に構成されている。【００２５】
この発明によれば、リングを３つ設けた場合に、幅方向に並べられたリングのうち、両端のリングをアームで受け、中央のリングをストッパとして機能させることができる。【００２６】
本発明に係る指輪において、前記座体と前記ホルダとは一体に形成されている。【００２７】
この発明によれば、座体とホルダとが１つの部品として構成されるので、管理を容易に行える。
【発明の効果】
【００２８】
本発明によれば、工具を用いないで宝石等の装飾体を容易にリングに対して着脱可能することができる。また、取り外されたリングだけでも装身具として利用することができる。
【図面の簡単な説明】
【００２９】
【図１】本発明の一実施形態に係る指輪のリングを直径方向に切断した一部断面図である。
【図２】図１に示す指輪の斜視図である。
【図３】一体化された座体及びホルダの側面図である。
【図４】指輪を構成する３つのリングを示す斜視図である。
【図５】各リングがホルダに保持される部位の拡大断面図である。
【図６】装飾体を保持する座体とリングとを着脱させる様子を示す説明図である。
【発明を実施するための形態】
【００３０】
以下、本発明の実施形態について図面を参照しながら説明する。
【００３１】
図１及び図２は、本発明に係る指輪１の一実施形態を示している。この指輪１は、３つのリング３０，４０，５０に対して装飾体５が着脱可能に構成されたものである。指輪１は、周方向に切れ目なく閉じた状態に形成された３つの独立したリング３０，４０，５０と、装飾体５を保持する座体１０とを備えている。また、指輪１は、幅方向に並べられた３つのリング３０，４０，５０を幅方向の両側から保持して、３つのリング３０，４０，５０に座体１０を着脱可能に保持させるホルダ２０を備えている。
【００３２】
ホルダ２０には、３つのリング３０，４０，５０のうち、幅方向の端に配置された１つのリング４０，５０のみを受けるアーム２３が設けられている。３つのリング３０，４０，５０のうち、アーム２３によって受けられないリング３０は、アーム２３がリング４０，５０を受けているホルダ２０に対して抜き差し自在に構成されている。
【００３３】
座体１０は、宝石等の装飾体５を保持するためのものであり、略円筒状に形成されている。座体１０の上部は開放されていて、装飾体５を座体１０の内側に嵌め込むことができるように構成されている。これに対して、座体１０の底部は、保持する装飾体５に対応するように適宜に加工されている。例えば、底部は、半径方向の中心に向かうにつれて徐々に降下して先細りになるように形成されている。なお、底部は、中心部が開放されるように加工してもよく、閉鎖されるように加工してもよい。
【００３４】
座体１０の底部は、図１及び図３に示すように、裾部１１を備えている。リング３０，４０，５０の外周面は横断面の形状が円弧状に形成されている。そのため、３つのリング３０，４０，５０を幅方向に並べると、リング３０，４０，５０の外周面の部分では、リング３０，４０，５０同士の間に隙間が形成される。また、ホルダ２０でリング３０，４０，５０を保持したとき、リング３０，４０，５０と座体１０との間にも隙間が形成される。裾部１１は、こうした隙間を隠すためものである。
【００３５】
なお、座体１０の形状は、略円筒状に限定されるものではなく、保持する装飾体５の形状に応じて適宜に形成すればよい。
【００３６】
ホルダ２０は、図３に示すように、座体１０と一体化されている。ホルダ２０は、座体１０の底部に固着された梁２１と、梁２１の両端に設けられた側壁２２と、この側壁２２の下端に設けられたアーム２３と、を備えている。
【００３７】
梁２１は、座体１０の直径方向を横切るように延びており、座体１０の底部に溶接される等して固着されている。
【００３８】
側壁２２は、梁２１の両側で、座体１０側から下方、即ち、保持するリング３０，４０，５０側に向けて延びている。この側壁２２同士の間隔は、３つリング３０，４０，５０がその幅方向に並べられた状態において、３つのリング３０，４０，５０を内側に配置することができるように構成されている。図１に示したように、３つのリング３０，４０，５０がホルダ２０によって保持された状態では、側壁２２は、３つのリング３０，４０，５０の外側に位置している。この側壁２２は、保持する３つのリング３０，４０，５０を、その幅方向の両側から挟み込む役割を果たしている。
【００３９】
アーム２３は、リング３０，４０，５０の幅方向に並べられた３つのリング３０，４０，５０のうち、両端に配置されたリング４０，５０をそれぞれ受けるためのものである。このアーム２３は、各側壁２２の下端から、並べられたリング３０，４０，５０の幅方向の内側に向けてそれぞれ延びている。アーム２３の先端は、間隔を空けて相互に対向している。アーム２３の長さは、並べられたリング３０，４０，５０のうち、幅方向の端に配置されるリング４０，５０の幅と略同寸に形成されている。
【００４０】
対向するアーム２３の先端同士の間は、リング３０，４０，５０をホルダ２０で保持する際に、３つのリング３０，４０，５０が１つずつ通される部位である。このアーム２３の先端同士の間隔は、３つのリング３０，４０，５０のそれぞれの幅よりも若干大きく形成されている。
【００４１】
次に図４及び図５を参照してリング３０，４０，５０について説明する。
【００４２】
３つのリング３０，４０，５０は、相互に独立している。また、各リング３０，４０，５０は、周方向に切れ目がなく閉じた円環状にそれぞれ構成されている。こうしたリング３０，４０，５０は、金、プラチナその他の貴金属によって形成されている。
【００４３】
３つのリング３０，４０，５０のうち、幅方向の両端に配置される２つのリング４０，５０は、内周面の一部に幅方向に延びる横溝４１，５１をそれぞれ備えている。横溝４１，５１は、ホルダ２０に設けられたアーム２３がリング４０，５０を受ける際に、アーム２３が嵌め込まれる。こうした横溝４１，５１の深さは、アーム２３の厚さに対応するように形成され、横溝４１，５１の幅は、アーム２３の幅に対応するように形成されている。なお、横溝４１，５１は、アーム２３がリング４０，５０を受ける際にアーム２３が嵌め込まれる部位であるため、アーム２３に受けられない中央に配置されるリング３０は、この横溝４１，５１を備えていない。
【００４４】
また、幅方向の両端に配置される２つのリング４０，５０は、周方向において横溝４１，５１が形成された位置と同じ位置に、各々の外側面にリング４０，５０の半径方向に延びる縦溝４２，５２を備えている。この縦溝４２，５２は、アーム２３がリング４０，５０を受ける際に、ホルダ２０の側壁２２が嵌め込まれる部位である。こうした縦溝４２，５２は、深さがホルダ２０の側壁２２の内側に若干引っかかる程度に浅く形成されている。これに対し幅は、側壁２２の幅に対応するように形成されている。なお、この縦溝４２，５２も、アーム２３がリング４０，５０受ける際にアーム２３が嵌め込まれる部位であるため、アーム２３に受けられない中央に配置されるリング３０は、この縦溝４２，５２を備えていない。
【００４５】
こうした横溝４１，５１及び縦溝４２，５２を幅方向の両端に配置される２つのリング４０，５０に形成し、アーム２３を横溝４１，５１に嵌め込むと共に縦溝４２，５２に側壁２２を嵌め込むことによって、３つのリング３０，４０，５０をホルダ２０が保持した際に、一体化された座体１０及びホルダ２０に対して回転することを防止している。また、アーム２３を横溝４１，５１に嵌め込むことによって、リング３０，４０，５０の半径方向にホルダ２０とリング４０，５０との間に隙間が形成されることを防止している。さらに、側壁２２を縦溝４２，５２に嵌め込むことによって、幅方向にホルダ２０とリング３０，４０，５０との間に隙間が形成されることを防止している。
【００４６】
以上の構成を備えた指輪１は、図６に示すようにして、リング３０，４０，５０が一体化された座体１０及びホルダ２０に対して着脱される。なお、図６の左側に示した状態は、３つのリング３０，４０，５０がホルダ２０によって保持された状態であり、右側に示した状態が、ホルダ２０に保持された３つのリング３０，４０，５０から中央に配置されたリング３０を抜き取る状態を示したものである。
【００４７】
図６の左側に示す、ホルダ２０によって３つのリング３０，４０，５０が保持された状態では、幅方向の両端に配置された２つのリング４０，５０は、ホルダ２０に設けられたアーム２３に受けられて、周方向の一部がホルダ２０によって保持されている。また、中央に配置されているリング３０は、２つのリング４０，５０の間で、周方向の一部がホルダ２０の内側に挿入されている。
【００４８】
この状態では、中央に配置されたリング３０は、アーム２３によって受けられているリング４０，５０が幅方向に移動することを拘束している。即ち、中央に配置されたリング３０は、両端に配置されたリング４０，５０がアーム２３から抜け出すことを阻止するストッパとして機能している。そのため、３つのリング３０，４０，５０は、ホルダ２０に保持された状態が維持される。こうした状態で、指を３つのリング３０，４０，５０に挿入すれば、中央に配置されたリング３０はホルダ２０から抜け出すことが阻止される。中央に配置されたリング３０がホルダ２０から抜け出さないので、必然的に幅方向の両側に配置されたリング４０，５０もホルダ２０から抜け出すことがない。
【００４９】
図６の左側に示した、３つのリング３０，４０，５０がホルダ２０によって保持された様態では、装飾体５を保持する座体１０、この座体１０と一体的に形成されたホルダ２０及び３つのリング３０，４０，５０が１つの指輪１を構成する。
【００５０】
次に、図６の右側に示す状態のように、中央に配置されたリング３０をホルダ２０から抜き出すと、幅方向の両端に配置されている２つのリング４０，５０は、幅方向への拘束が解除される。幅方向の両端に配置されている２つのリング４０，５０は、幅方向への拘束が無くなると、幅方向に自由に移動させることができるようになる。そのため、これらの２つのリング４０，５０も、ホルダ２０から取り外すことが可能になる。こうして、３つのリング３０，４０，５０は、装飾体５を保持する座体１０及び座体１０と一体的に形成されたホルダ２０から完全に分離された状態になる。
【００５１】
こうして両者が分離されると、装飾体５を保持する座体１０及び座体１０と一体的に形成されたホルダ２０だけを保管しておき、個々のリング３０，４０，５０を、リング３０，４０，５０のみで指輪１とは別の装飾具として身につけることができる。
【００５２】
なお、以上では、３つのリング３０，４０，５０のうち、両端に配置される２つのリング４０，５０に横溝４１，５１及び縦溝４２，５２を形成した場合を例に説明した。しかし、両端に配置されるリング４０，５０には横溝４１，５１だけを形成したり、縦溝４２，５２だけを形成したりしてもよく、横溝４１，５１及び縦溝４２，５２のいずれも形成しなくてもよい。また、指輪１を構成するリングの数も、３つであることに限定されるものではなく、幅方向の端に配置される少なくとも１つのリングをアームで受けることができるように構成するのであれば、２つだけで指輪を構成したり、４つ以上のリングで指輪を構成したりしてもよい。
【００５３】
また、装飾体と座体からなる部材が、リングに着脱可能とされていることにより、装飾体と座体とからなる部材を、ネックレスに取り付けてネックレスのトップとして用いることができる。
【００５４】
また例えば、婚約指輪と結婚指輪に関し、婚約指輪にはダイヤモンド等の高価な宝玉よりなる装飾部が施されている一方、結婚指輪はシンプルなリングで成ることが一般的であるところ、婚約指輪は高額であるために、婚約時には購入をあきらめる、といったケースもある。本願発明による場合、当初は結婚指輪のみを購入して出費を安価に抑え、その後の結婚記念日等を利用して新たなリングを購入し、さらに高価な装飾体を備えた本願に係るホルダをも単体で購入し、結婚指輪とその後購入したリングを保持させて一つの指輪にし、婚約時に購入をあきらめた指輪を手に入れて楽しむことができる。
【符号の説明】
【００５５】
１  指輪
１０  座体
１１  裾部
２０  ホルダ
２１  梁
２２  側壁
２３  アーム
３０，４０，５０  リング
４１，５１  横溝
４２，５２  縦溝
【図１】
2014033871.tif 000003
【図２】
2014033871.tif 000004
【図３】
2014033871.tif 000005
【図４】
2014033871.tif 000006
【図５】
2014033871.tif 000007
【図６】
2014033871.tif 000008
【国際調査報告】
2014033871.tif 000009
2014033871.tif 000010
2014033871.tif 000011
2014033871.tif 000012